(57)【特許請求の範囲】
【請求項１】
携帯端末が接続先の基地局のセルを識別するための物理セル識別子（ＰＣＩ）の値を設定する設定装置であって、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部と、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部と、
前記重複率と、前記算出部が過去に算出した過去重複率との差の大きさに基づいて、前記セルに新たな前記ＰＣＩの値を設定するための演算処理を実行するか否かを決定する決定部と、
前記基地局が設置されているエリアが、前記セルに前記ＰＣＩの値を割当可能な割当範囲が分割された複数の分割割当範囲のうちのいずれかを割り当てる単位として、複数の前記セルをそれぞれ含む複数のグループに分割されている場合において、前記ＨＯＲ情報に基づいて、第１の前記グループと、当該第１のグループに含まれる前記セルとの間で前記ハンドオーバーが発生した前記セルを含む第２の前記グループとに対して、前記分割割当範囲を示すための割当範囲情報であって、それぞれ異なる前記割当範囲情報を割り当てる割当部と、
前記決定部が前記演算処理を実行すると決定した場合に、前記グループごとに、複数の前記セルそれぞれに前記ＰＣＩの値を設定可能な複数の組合せであって、当該グループに割り当てられた前記割当範囲情報に対応する前記分割割当範囲内における前記複数の組合せの中から、前記重複率が相対的に小さい前記組合せを選択する選択部と、
を有する設定装置。
【請求項２】
前記割当部は、前記第１のグループに割り当てた前記割当範囲情報を、前記第１のグループ及び前記第２のグループとは異なる複数の他の前記グループのうち、少なくとも前記第１のグループと地理的に隣接していない前記他のグループに割り当てる、
請求項１に記載の設定装置。
【請求項３】
携帯端末が接続先の基地局のセルを識別するための物理セル識別子（ＰＣＩ）の値を設定する設定装置であって、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部と、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部と、
前記重複率と、前記算出部が過去に算出した過去重複率との差の大きさに基づいて、前記セルに新たな前記ＰＣＩの値を設定するための演算処理を実行するか否かを決定する決定部と、
前記決定部が前記演算処理を実行すると決定した場合に、複数の前記セルそれぞれに前記ＰＣＩの値を設定可能な複数の組合せの中から、前記重複率が相対的に小さい前記組合せを選択する処理であって、組合せ最適化問題を解くことにより前記組合せを選択する前記処理を繰り返し実行し、前記処理を繰り返し実行した後において、各処理で選択した複数の前記組合せのうち、新たな前記ＰＣＩの値を設定する前記セルの数が相対的に少ない前記組合せを選択する選択部と、
を有する設定装置。
【請求項４】
携帯端末が接続先の基地局のセルを識別するための物理セル識別子（ＰＣＩ）の値を設定する設定装置であって、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部と、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部と、
前記重複率と、前記算出部が過去に算出した過去重複率との差の大きさに基づいて、前記セルに新たな前記ＰＣＩの値を設定するための演算処理を実行するか否かを決定する決定部と、
前記決定部が前記演算処理を実行すると決定した場合に、複数の前記セルそれぞれに前記ＰＣＩの値を設定可能な複数の組合せの中から、前記重複率が相対的に小さい前記組合せを選択する選択部と、
前記重複率と、前記選択部が選択した前記組合せに基づいて前記セルに新たな前記ＰＣＩの値を設定した場合に想定される前記重複度合いを示す想定重複率との差が所定の閾値より大きい場合に、前記選択部が選択した前記組合せに基づいて、前記セルに新たな前記ＰＣＩの値を設定するＰＣＩ設定部と、
を有する設定装置。
【請求項５】
前記算出部は、予め定められた間隔で算出した複数の前記重複率に基づく統計量である統計重複率を前記重複率として算出する、
請求項１から４のいずれか一項に記載の設定装置。
【請求項６】
前記決定部は、前記重複率と前記過去重複率との差が所定の閾値より大きい場合に、前記演算処理を実行することを決定する、
請求項１から５のいずれか一項に記載の設定装置。
【請求項７】
前記携帯端末と、
前記携帯端末の接続先の複数の前記基地局と、
前記携帯端末が前記複数の基地局の前記セルを識別するための前記ＰＣＩの値を設定する、請求項１から６のいずれか一項に記載の設定装置と、
を有する携帯端末システム。
【請求項８】
携帯端末が接続先の基地局のセルを識別するための物理セル識別子（ＰＣＩ）の値を設定するコンピュータを、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部、
前記重複率と、前記算出部が過去に算出した過去重複率との差の大きさに基づいて、前記セルに新たな前記ＰＣＩの値を設定するための演算処理を実行するか否かを決定する決定部、
前記基地局が設置されているエリアが、前記セルに前記ＰＣＩの値を割当可能な割当範囲が分割された複数の分割割当範囲のうちのいずれかを割り当てる単位として、複数の前記セルをそれぞれ含む複数のグループに分割されている場合において、前記ＨＯＲ情報に基づいて、第１の前記グループと、当該第１のグループに含まれる前記セルとの間で前記ハンドオーバーが発生した前記セルを含む第２の前記グループとに対して、前記分割割当範囲を示すための割当範囲情報であって、それぞれ異なる前記割当範囲情報を割り当てる割当部、及び
前記決定部が前記演算処理を実行すると決定した場合に、前記グループごとに、複数の前記セルそれぞれに前記ＰＣＩの値を設定可能な複数の組合せであって、当該グループに割り当てられた前記割当範囲情報に対応する前記分割割当範囲内における前記複数の組合せの中から、前記重複率が相対的に小さい前記組合せを選択する選択部、
として機能させるためのプログラム。
【請求項９】
携帯端末が接続先の基地局のセルを識別するための物理セル識別子（ＰＣＩ）の値を設定するコンピュータが実行する、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得するステップと、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出するステップと、
前記重複率と、過去に算出した過去重複率との差の大きさに基づいて、前記セルに新たな前記ＰＣＩの値を設定するための演算処理を実行するか否かを決定するステップと、
前記基地局が設置されているエリアが、前記セルに前記ＰＣＩの値を割当可能な割当範囲が分割された複数の分割割当範囲のうちのいずれかを割り当てる単位として、複数の前記セルをそれぞれ含む複数のグループに分割されている場合において、前記ＨＯＲ情報に基づいて、第１の前記グループと、当該第１のグループに含まれる前記セルとの間で前記ハンドオーバーが発生した前記セルを含む第２の前記グループとに対して、前記分割割当範囲を示すための割当範囲情報であって、それぞれ異なる前記割当範囲情報を割り当てるステップと、
前記演算処理を実行すると決定した場合に、前記グループごとに、複数の前記セルそれぞれに前記ＰＣＩの値を設定可能な複数の組合せであって、当該グループに割り当てられた前記割当範囲情報に対応する前記分割割当範囲内における前記複数の組合せの中から、前記重複率が相対的に小さい前記組合せを選択するステップと、
を有する設定方法。
【請求項１０】
携帯端末が接続先の基地局のセルを識別するための物理セル識別子（ＰＣＩ）の値を設定するコンピュータを、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部、
前記重複率と、前記算出部が過去に算出した過去重複率との差の大きさに基づいて、前記セルに新たな前記ＰＣＩの値を設定するための演算処理を実行するか否かを決定する決定部、及び
前記決定部が前記演算処理を実行すると決定した場合に、複数の前記セルそれぞれに前記ＰＣＩの値を設定可能な複数の組合せの中から、前記重複率が相対的に小さい前記組合せを選択する処理であって、組合せ最適化問題を解くことにより前記組合せを選択する前記処理を繰り返し実行し、前記処理を繰り返し実行した後において、各処理で選択した複数の前記組合せのうち、新たな前記ＰＣＩの値を設定する前記セルの数が相対的に少ない前記組合せを選択する選択部、
として機能させるためのプログラム。
【請求項１１】
携帯端末が接続先の基地局のセルを識別するための物理セル識別子（ＰＣＩ）の値を設定するコンピュータが実行する、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得するステップと、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出するステップと、
前記重複率と、過去に算出した過去重複率との差の大きさに基づいて、前記セルに新たな前記ＰＣＩの値を設定するための演算処理を実行するか否かを決定するステップと、
前記演算処理を実行すると決定した場合に、複数の前記セルそれぞれに前記ＰＣＩの値を設定可能な複数の組合せの中から、前記重複率が相対的に小さい前記組合せを選択する処理であって、組合せ最適化問題を解くことにより前記組合せを選択する前記処理を繰り返し実行するステップと、
前記処理を繰り返し実行した後において、各処理で選択した複数の前記組合せのうち、新たな前記ＰＣＩの値を設定する前記セルの数が相対的に少ない前記組合せを選択するステップと、
を有する設定方法。
【請求項１２】
携帯端末が接続先の基地局のセルを識別するための物理セル識別子（ＰＣＩ）の値を設定するコンピュータを、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部、
前記重複率と、前記算出部が過去に算出した過去重複率との差の大きさに基づいて、前記セルに新たな前記ＰＣＩの値を設定するための演算処理を実行するか否かを決定する決定部、
前記決定部が前記演算処理を実行すると決定した場合に、複数の前記セルそれぞれに前記ＰＣＩの値を設定可能な複数の組合せの中から、前記重複率が相対的に小さい前記組合せを選択する選択部、及び
前記重複率と、前記選択部が選択した前記組合せに基づいて前記セルに新たな前記ＰＣＩの値を設定した場合に想定される前記重複度合いを示す想定重複率との差が所定の閾値より大きい場合に、前記選択部が選択した前記組合せに基づいて、前記セルに新たな前記ＰＣＩの値を設定するＰＣＩ設定部、
として機能させるためのプログラム。
【請求項１３】
携帯端末が接続先の基地局のセルを識別するための物理セル識別子（ＰＣＩ）の値を設定するコンピュータが実行する、
携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得するステップと、
前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出するステップと、
前記重複率と、過去に算出した過去重複率との差の大きさに基づいて、前記セルに新たな前記ＰＣＩの値を設定するための演算処理を実行するか否かを決定するステップと、
前記演算処理を実行すると決定した場合に、複数の前記セルそれぞれに前記ＰＣＩの値を設定可能な複数の組合せの中から、前記重複率が相対的に小さい前記組合せを選択するステップと、
前記重複率と、選択した前記組合せに基づいて前記セルに新たな前記ＰＣＩの値を設定した場合に想定される前記重複度合いを示す想定重複率との差が所定の閾値より大きい場合に、選択した前記組合せに基づいて、前記セルに新たな前記ＰＣＩの値を設定するステップと、
を有する設定方法。
【発明の詳細な説明】
【技術分野】
【０００１】
本発明は、設定装置、携帯端末システム、プログラム及び設定方法に関する。
【背景技術】
【０００２】
基地局には、通信可能な領域を分割したセルごとに物理セル識別子（以下、「ＰＣＩ（Physical Cell ID）」という。）が設定されており、携帯端末は、ＰＣＩの値に基づいて接続先のセルを識別したり、ＰＣＩの値に基づいて特定された送信パターンで所定の信号を基地局に送信したりする。特許文献１には、セルにＰＣＩの値を設定するための技術が開示されている。
【先行技術文献】
【特許文献】
【０００３】
【特許文献１】特表２０１５−５３６６２９号公報
【発明の概要】
【発明が解決しようとする課題】
【０００４】
隣接する複数のセル間においてＰＣＩの値又は上記所定の信号の送信パターンが重複すると、携帯端末が接続先を一方のセルから他方のセルに切り替えることにより発生するハンドオーバーに失敗して呼切断したり、信号対干渉雑音比（ＳＩＮＲ：Signal to Interference plus Noise power Ratio）が劣化したりし得るため、当該隣接する複数のセル間における通信品質が低下し得る。上述のとおり、上記所定の信号の送信パターンは、ＰＣＩの値に基づいて特定されるため、隣接するセル間において、上記所定の信号の送信パターンが重複しない場合、ＰＣＩの値も重複しない。そのため、上記所定の信号の送信パターンが重複しないように、各セルにＰＣＩの値が設定されていることが望ましい。
【０００５】
しかしながら、上記所定の信号の送信パターンとして設定可能な信号の種類は、当該送信パターンとして設定可能な範囲がＰＣＩの値として設定可能な範囲より小さく、当該送信パターンの数に限りがあること等から、全てのセルに対して所定の信号の送信パターンが重複しないように設定することが困難である。そのため、送信パターンの重複に由来する通信品質の低下を抑制し、通信品質を維持することが求められている。
【０００６】
そこで、本発明はこれらの点に鑑みてなされたものであり、通信品質を維持することができる設定装置、携帯端末システム、プログラム及び設定方法を提供することを目的とする。
【課題を解決するための手段】
【０００７】
本発明の第１の態様にかかる設定装置は、携帯端末が接続先の基地局のセルを識別するための物理セル識別子（ＰＣＩ）の値を設定する設定装置であって、携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部と、前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部と、前記重複率と、前記算出部が過去に算出した過去重複率との差の大きさに基づいて、前記セルに新たな前記ＰＣＩの値を設定するための演算処理を実行するか否かを決定する決定部と、を有する。
【０００８】
前記算出部は、予め定められた間隔で算出した複数の前記重複率に基づく統計量である統計重複率を前記重複率として算出してもよい。
前記決定部は、前記重複率と前記過去重複率との差が所定の閾値より大きい場合に、前記演算処理を実行することを決定してもよい。
【０００９】
前記設定装置は、前記決定部が前記演算処理を実行すると決定した場合に、複数の前記セルそれぞれに前記ＰＣＩの値を設定可能な複数の組合せの中から、前記重複率が相対的に小さい前記組合せを選択する選択部をさらに有してもよい。
【００１０】
前記基地局が設置されているエリアは、前記セルに前記ＰＣＩの値を割当可能な割当範囲が分割された複数の分割割当範囲のうちのいずれかを割り当てる単位として、複数の前記セルをそれぞれ含む複数のグループに分割されていてもよいし、前記設定装置は、前記ＨＯＲ情報に基づいて、第１の前記グループと、当該第１のグループに含まれる前記セルとの間で前記ハンドオーバーが発生した前記セルを含む第２の前記グループとに対して、前記分割割当範囲を示すための割当範囲情報であって、それぞれ異なる前記割当範囲情報を割り当てる割当部をさらに有してもよいし、前記選択部は、前記グループごとに、当該グループに割り当てられた前記割当範囲情報に対応する前記分割割当範囲内における前記複数の組合せの中から、前記重複率が相対的に小さい前記組合せを選択してもよい。
【００１１】
前記割当部は、前記第１のグループに割り当てた前記割当範囲情報を、前記第１のグループ及び前記第２のグループとは異なる複数の他の前記グループのうち、少なくとも前記第１のグループと地理的に隣接していない前記他のグループに割り当ててもよい。
【００１２】
前記選択部が前記組合せを選択する処理は、組合せ最適化問題を解くことにより前記組合せを選択する処理であってもよいし、前記選択部は、前記重複率が相対的に小さい前記組合せを選択する処理を繰り返し実行した後において、各処理で選択した複数の前記組合せのうち、新たな前記ＰＣＩの値を設定する前記セルの数が相対的に少ない前記組合せを選択してもよい。
【００１３】
前記設定装置は、前記重複率と、前記選択部が選択した前記組合せに基づいて前記セルに新たな前記ＰＣＩの値を設定した場合に想定される前記重複度合いを示す想定重複率との差が所定の閾値より大きい場合に、前記選択部が選択した前記組合せに基づいて、前記セルに新たな前記ＰＣＩの値を設定するＰＣＩ設定部をさらに有してもよい。
【００１４】
本発明の第２の態様にかかる携帯端末システムは、前記携帯端末と、前記携帯端末の接続先の複数の前記基地局と、前記携帯端末が前記複数の基地局の前記セルを識別するための前記ＰＣＩの値を設定する前記設定装置と、を有する。
【００１５】
本発明の第３の態様にかかるプログラムは、携帯端末が接続先の基地局のセルを識別するための物理セル識別子（ＰＣＩ）の値を設定するコンピュータを、携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得する取得部、前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出する算出部、及び前記重複率と、前記算出部が過去に算出した過去重複率との差の大きさに基づいて、前記セルに新たな前記ＰＣＩの値を設定するための演算処理を実行するか否かを決定する決定部、として機能させる。
【００１６】
本発明の第４の態様にかかる設定方法は、携帯端末が接続先の基地局のセルを識別するための物理セル識別子（ＰＣＩ）の値を設定するコンピュータが実行する、携帯端末が接続している前記セルを他の前記セルに切り替えることにより発生するハンドオーバーの試行回数と、各ハンドオーバーの切替前後の前記セルそれぞれの前記ＰＣＩの値とを含むハンドオーバーリレーション（ＨＯＲ）情報を取得するステップと、前記ＨＯＲ情報に基づいて、前記ハンドオーバーの切替前の前記セルの前記ＰＣＩの値に基づいて特定される、基準信号の送信パターンを定めるためのパターン情報と、前記ハンドオーバーの切替後の前記セルの前記ＰＣＩの値に基づいて特定される前記パターン情報とが重複する重複度合いを示す重複率を算出するステップと、前記重複率と、過去に算出した過去重複率との差の大きさに基づいて、前記セルに新たな前記ＰＣＩの値を設定するための演算処理を実行するか否かを決定するステップと、を有する。
【発明の効果】
【００１７】
本発明によれば、通信品質を維持することができるという効果を奏する。
【図面の簡単な説明】
【００１８】
【図１】携帯端末システムの概要を説明するための図である。
【図２】設定装置の構成を示す図である。
【図３】基地局情報データベースの構成の一例を示す図である。
【図４】基地局が設置されているエリアを模式的に表した図である。
【図５】複数のグループに分割されたエリアを模式的に表した図である。
【図６】設定装置の処理の流れを示すフローチャートである。
【発明を実施するための形態】
【００１９】
［携帯端末システムＳの概要］
図１は、携帯端末システムＳの概要を説明するための図である。携帯端末システムＳは、携帯端末１と、基地局２と、設定装置３とを有する。携帯端末システムＳは、通信事業者が通信サービスをユーザＵに提供するためのシステムである。
【００２０】
携帯端末１は、通信サービスに加入したユーザＵが使用する端末であり、例えば、携帯電話、スマートフォン、ゲーム機器、タブレット型ＰＣ（Personal Computer）、小型ＰＣ、およびノート型ＰＣ等といった通信可能なデバイスである。
【００２１】
基地局２は、ユーザＵに通信サービスを提供するために携帯端末１と通信する無線設備であり、屋内外の様々な場所に設けられている。基地局２には、一以上のアンテナが設けられており、当該アンテナから発せられた電波が届く範囲であるセルＣ内に存在する携帯端末１と電波を送受信する。基地局２が有するセルＣ、すなわち基地局２に設けられたアンテナには、予めＰＣＩの値が設定されている。各基地局２には、例えば、それぞれ同じ数のアンテナが設けられている。
【００２２】
設定装置３は、セルＣのＰＣＩの値を設定するために用いられる装置であり、例えば、サーバである。ＰＣＩの値として設定可能な範囲は、予め定められており、例えば、設定装置３は、番号０から番号５０３まで（５０４個）の中からＰＣＩの値をセルＣに設定する。ＰＣＩは、携帯端末１が接続先のセルＣを識別するための情報としての役割と、基準信号の送信パターンを定めるためのパターン情報を特定するための情報としての役割とを有する。
【００２３】
基準信号は、例えば、ＬＴＥ（Long Term Evolution）において通信品質を測定するために用いられる測定信号、又は５Ｇ（5th Generation）において携帯端末１がセルＣを補足するために用いられる同期信号である。パターン情報は、ＰＣＩの値を所定の定数で除算したときの剰余である。所定の定数は、１つの基地局２に設けられたアンテナ（セルＣ）の数に対応する数値であってもよいし、任意の数値であってもよい。ここで、パターン情報が示す数値をｐとし、ＰＣＩの値をｍとし、所定の定数をｎとした場合、パターン情報は、ｐ＝ＭＯＤ（ｍ、ｎ）により算出することができる。例えば、所定の定数が「３」である場合、パターン情報として設定可能な範囲は、０から２までの３個しかないため、ＰＣＩの値として設定可能な範囲（上述した例において５０４個）より小さい。
【００２４】
図１に示す例において、基地局２ａが通信可能な領域は、セルＣ１、セルＣ２及びセルＣ３の範囲であり、基地局２ｂが通信可能な領域は、セルＣ４、セルＣ５及びセルＣ６の範囲である。図１に示す例において、基地局２ａが有するセルＣ３と、基地局２ｂが有するセルＣ４、Ｃ５とは隣接している。例えば、携帯端末１を所持するユーザＵがセルＣ３内からセルＣ５内に移動すると、携帯端末１が接続先をセルＣ３からセルＣ５に切り替えることによりハンドオーバーが発生する。この場合において、セルＣ３及びセルＣ５のＰＣＩの値が重複したりパターン情報が重複したりすると、呼切断したりＳＩＮＲが劣化したりし得る。
【００２５】
ところで、各セルＣの範囲は、一定ではなく、アンテナの送信電力レベル及び建物等の配置等によってそれぞれ異なる。例えば、セルＣ３内において、建物が新たに建てられたり取り壊されたりすると、セルＣ３の範囲が変動し、セルＣ３とセルＣ５とが隣接しなくなったり、セルＣ３とセルＣ６とが隣接したりし得る。ＰＣＩの値を設定したときには隣接していなかった複数のセルＣが後発的に隣接すると、当該後発的に隣接した複数のセルＣにおいてＰＣＩの値又はパターン情報が重複する可能性が生じる。
【００２６】
隣接する複数のセルＣにおいては、パターン情報が重複しないように各セルＣにＰＣＩの値が設定されていることが望ましい。しかしながら、上述したように、パターン情報においては、パターン情報として設定可能な範囲が小さい（ＰＣＩの値の範囲より小さい）こと、複数のセルＣが後発的に隣接し得ること等から、全てのセルＣに対して隣接する複数のセルＣのパターン情報が重複しないようにＰＣＩの値を設定することは困難である。
【００２７】
そのため、隣接する複数のセルＣであって、パターン情報が重複している複数のセルＣ（以下、「ＭＯＤｎ重複セルＣ」という）間におけるハンドオーバーの試行回数の変化に応じて、セルＣにＰＣＩの値を設定することが求められている。そこで、設定装置３は、ＭＯＤｎ重複セルＣ間におけるハンドオーバーの試行回数が多くなった場合に、セルＣに新たなＰＣＩの値を設定する。
【００２８】
まず、設定装置３は、ハンドオーバーリレーション（ＨＯＲ：Hand Over Relation）情報を基地局２ａ及び基地局２ｂから取得する（図１の（１））。ＨＯＲ情報は、携帯端末１が接続しているセルＣを他のセルＣに切り替えることにより発生するハンドオーバーの試行回数と、各ハンドオーバーの切替前後のセルＣそれぞれのＰＣＩの値とを含む。
【００２９】
設定装置３は、ＨＯＲ情報に基づいて、図１に示す６つのセルＣにおいて、ハンドオーバーの切替前後のセルＣそれぞれのパターン情報が重複する重複度合いを示す重複率を算出する（図１の（２））。重複率は、ＭＯＤｎ重複セルＣ間におけるハンドオーバーの試行回数の相対的な多さを示す数値である。
【００３０】
例えば、隣接しているセルＣ３及びセルＣ４のパターン情報が重複しており、隣接しているセルＣ３及びセルＣ５のパターン情報が重複していないとする。この場合において、設定装置３は、隣接しているセルＣ３及びセルＣ４におけるハンドオーバーの試行回数と、隣接しているセルＣ３及びセルＣ５におけるハンドオーバーの試行回数とに基づいて、ＭＯＤｎ重複セルＣである、隣接しているセルＣ３及びセルＣ４におけるハンドオーバーの試行回数の相対的な多さを示す重複率を算出する。
【００３１】
そして、設定装置３は、図１に示す６つのセルＣにおける最新重複率と、過去に算出された当該６つのセルＣにおける過去重複率との差の大きさに基づいて、演算処理を実行するか否かを決定する（図１の（３））。その後、設定装置３は、演算処理を実行すると決定した場合に、当該演算処理を実行し、図１に示す６つのセルＣのうち、少なくとも１つのセルＣ（例えば、セルＣ１、セルＣ２及びセルＣ３）に新たなＰＣＩの値を設定する。
【００３２】
このようにすることで、設定装置３は、ＭＯＤｎ重複セルＣ間におけるハンドオーバーの試行回数が多くなった場合に、当該ハンドオーバーの試行回数を低減させることができる。これにより、設定装置３は、隣接する複数のセルＣ間においてパターン情報が重複していることを起因として、呼切断したりＳＩＮＲが劣化したりし得る携帯端末１の数を低減させることができる。その結果、設定装置３は、通信品質を維持することができる。
以下、設定装置３の構成について説明する。
【００３３】
［設定装置３の構成］
図２は、設定装置３の構成を示す図である。設定装置３は、通信部３１と、記憶部３２と、制御部３３とを有する。通信部３１は、基地局２と通信するためのネットワークインターフェイスであり、例えばＬＡＮ（Local Area Network）コントローラを含んで構成されている。
【００３４】
記憶部３２は、ＲＯＭ（Read Only Memory）、ＲＡＭ（Random Access Memory）及びハードディスク等の記憶媒体である。記憶部３２は、制御部３３が実行するプログラムを記憶している。記憶部３２は、基地局２に関する情報を管理する基地局情報データベースを記憶している。図３は、基地局情報データベースの構成の一例を示す図である。図３に示す基地局情報データベースは、基地局２に関する情報として、グループＩＤと、基地局ＩＤと、セルＩＤと、ＰＣＩ値とを関連付けて記憶している。
【００３５】
グループＩＤは、グループを識別するための情報であり、具体的には、基地局２が配置されているエリアを分割した複数のグループのうちのいずれかであることを識別ための情報である。基地局ＩＤは、基地局２を識別するための情報である。セルＩＤは、セルＣを識別するための情報である。
【００３６】
図２に戻り、制御部３３は、例えばＣＰＵ（Central Processing Unit）である。制御部３３は、記憶部３２に記憶されたプログラムを実行することにより、取得部３３１、算出部３３２、決定部３３３、選択部３３４、割当部３３５及びＰＣＩ設定部３３６として機能する。
【００３７】
取得部３３１は、通信部３１を介して、携帯端末１が接続しているセルＣを他のセルＣに切り替えることにより発生するハンドオーバーの試行回数と、各ハンドオーバーの切替前後のセルＣそれぞれのＰＣＩの値とを含むＨＯＲ情報を複数の基地局２から取得する。
【００３８】
ＨＯＲ情報は、携帯端末１がハンドオーバーする際に、基地局２及び携帯端末１の間で通信された特定のメッセージの数の情報を含む。例えば、あるセルＣ内に存在する携帯端末１が当該セルＣに隣接する隣接セルＣに近づき、隣接セルＣの基準信号を受信すると、当該携帯端末１は、当該隣接セルＣを有する基地局２に受信信号の品質情報を示す「Measurement Report」メッセージを送信する。
【００３９】
隣接セルＣを有する基地局２は、品質情報に応じて、ハンドオーバーを指示する「RRC Connection Reconfiguration」メッセージを携帯端末１に送信する。ここで、基地局２は、「RRC Connection Reconfiguration」メッセージを送信した回数をアテンプト情報の回数として記憶する。そして、携帯端末１は、ハンドオーバー指示に応じて、隣接する基地局２へとハンドオーバーし、ハンドオーバーが成功すると「RRC Connection Reconfiguration Complete」メッセージをハンドオーバーした当該基地局２に送信する。ここで、基地局２は、「RRC Connection Reconfiguration Complete」メッセージを受信した回数をサクセス情報の回数として記憶する。
【００４０】
ＨＯＲ情報は、このようなアテンプト情報の回数及びサクセス情報の回数等を含む。なお、携帯端末１は、基地局２から受信する基準信号の品質に基づいてハンドオーバーするので、アテンプト情報の回数およびサクセス情報の回数はほとんど一致する。したがって、取得部３３１が取得するハンドオーバー試行回数は、ＨＯＲ情報に含まれる、携帯端末１から基地局２へと送信されるサクセス情報の回数および基地局２から携帯端末１へと送信されるアテンプト情報の回数のいずれか一方でよい。
【００４１】
取得部３３１は、例えば、アテンプト情報を携帯端末１に送信した基地局２のアンテナに対応するセルＣに設定されているＰＣＩの値と、当該アテンプト情報が送信される直前に当該携帯端末１からサクセス情報を受信した基地局２のアンテナに対応するセルＣに設定されているＰＣＩの値とを特定することにより、ハンドオーバーの切替前後のセルＣそれぞれのＰＣＩの値を含むＨＯＲ情報を取得する。取得部３３１は、基地局２を介して、ハンドオーバーの切替前後のセルＣに関する情報（各セルＣのセルＩＤ又は各セルＣのＰＣＩの値等）を携帯端末１から取得し、取得した当該セルＣに関する情報に基づいてハンドオーバーの切替前後のセルＣそれぞれのＰＣＩの値を特定してもよい。取得部３３１は、外部のデータベース等からＨＯＲ情報を取得してもよい。
【００４２】
算出部３３２は、取得部３３１が複数の基地局２から取得したＨＯＲ情報に基づいて、切替前パターン情報と切替後パターン情報とが重複する重複度合いを示す重複率を算出する。切替前パターン情報は、ＨＯＲ情報に含まれるハンドオーバーの切替前のセルＣのＰＣＩの値に基づいて特定されるパターン情報であり、切替後パターン情報は、ＨＯＲ情報に含まれる当該ハンドオーバーの切替後のセルＣのＰＣＩの値に基づいて特定されるパターン情報である。
【００４３】
算出部３３２は、例えば、取得部３３１が複数の基地局２から取得したＨＯＲ情報それぞれに含まれるハンドオーバーの試行回数の合計と、切替前パターン情報及び切替後パターン情報が重複するセルＣ間におけるハンドオーバーの試行回数の合計との比を重複率として算出する。
【００４４】
算出部３３２は、予め定められた間隔（例えば、週ごと又は月ごと等）で算出した複数の重複率に基づく統計量である統計重複率を重複率として算出してもよい。統計重複率は、例えば、予め定められた間隔で算出した複数の重複率の平均値又は中央値等である。算出部３３２は、例えば、上記間隔とは異なる間隔（例えば、日ごと）で、重複率を算出する。
【００４５】
算出部３３２は、基地局２が設置されているエリアが分割されたグループごとに、当該グループに属する基地局２に対応するＨＯＲ情報に基づいて、重複率を算出してもよい。図４は、基地局２が設置されているエリアを模式的に表した図である。図４に示すエリアにおいては、グループが、グループＧ１、Ｇ２、Ｇ３の３つに分割されている。この場合、算出部３３２は、図４に示すグループＧ１、Ｇ２、Ｇ３それぞれの重複率を算出する。
【００４６】
なお、算出部３３２は、上記エリアに含まれる全てのグループの数より少ない数のグループをまとめた重複率を算出してもよい。この場合、算出部３３２は、全てのグループを対象としてまとめてもよいし、グループの規模（例えば、基地局２の数又はグループに基づく面積等）に応じて一部のグループを対象としてまとめてもよい。図４に示す例において、グループＧ１、Ｇ２がまとめられた場合（一部のグループを対象としてまとめる場合）、算出部３３２は、グループＧ１、Ｇ２に属する基地局２に対応するＨＯＲ情報に基づく重複率と、グループＧ３に属する基地局２に対応するＨＯＲ情報に基づく重複率とを算出する。
【００４７】
図２に戻り、決定部３３３は、算出部３３２が算出した最新重複率と、算出部３３２が過去に算出した過去重複率との差の大きさに基づいて、セルＣに新たなＰＣＩの値を設定するための演算処理を実行するか否かを決定する。過去重複率は、例えば、直前にＰＣＩの値がセルＣに設定されたときに算出された重複率である。
【００４８】
具体的には、決定部３３３は、最新重複率と過去重複率との差が所定の閾値より大きいか否かに基づいて、演算処理を実行するか否かを決定する。所定の閾値は、例えば、設定装置３に予め設定されている。決定部３３３は、最新重複率と過去重複率との差が所定の閾値より大きい場合に、演算処理を実行することを決定する。
【００４９】
選択部３３４は、決定部３３３が演算処理を実行すると決定した場合に、当該演算処理を実行する。具体的には、選択部３３４は、複数のセルＣそれぞれにＰＣＩの値を設定可能な複数の組合せの中から、重複率が相対的に小さい組合せを選択する。選択部３３４は、例えば、複数のセルＣそれぞれにＰＣＩの値を設定可能な複数の組合せの中から、重複率が最小である組合せを選択する。
【００５０】
選択部３３４は、複数のセルＣそれぞれにＰＣＩの値を設定可能な複数の組合せの中から、重複率が最小値から許容値までの範囲に含まれる一以上の組合せを選択してもよい。許容値は、例えば、予め定められた数値を最小値に加算した数値である。この場合、選択部３３４は、一以上の組合せのうち、新たなＰＣＩの値を設定するセルＣの数が相対的に少ない組合せを選択する。選択部３３４は、例えば、一以上の組合せのうち、新たなＰＣＩの値を設定するセルＣの数が最も少ない組合せを選択する。
【００５１】
選択部３３４が組合せを選択する処理は、組合せ最適化問題を解くことにより組合せを選択する処理であり、当該処理ごとに選択される組合せが異なる。そこで、選択部３３４は、組合せを選択する処理を繰り返し実行した結果に基づいて、組合せを選択してもよい。具体的には、選択部３３４は、重複率が相対的に小さい組合せを選択する処理を繰り返し実行した後において、各処理で選択した複数の組合せのうち、新たなＰＣＩの値を設定するセルＣの数が相対的に少ない組合せを選択する。
【００５２】
選択部３３４は、例えば、既知の量子アニーリングを用いて、新たなＰＣＩの値を設定するセルＣの数が相対的に少ない組合せを選択する。このようにすることで、例えば、作業者がセルＣに新たなＰＣＩの値の設定を行う場合、設定装置３は、新たなＰＣＩの値を設定するセルＣの数が多くなることによって生じる作業者の負担の増大を低減させることができる。
【００５３】
選択部３３４は、グループごとに、当該グループにおいて重複率が相対的に小さい組合せを選択してもよい。具体的には、まず、割当部３３５は、ＨＯＲ情報に基づいて、第１のグループと、当該第１のグループに含まれるセルＣとの間でハンドオーバーが発生したセルＣを含む第２のグループとに対して、それぞれ異なる割当範囲情報を割り当てる。
【００５４】
第１のグループは、例えば、ハンドオーバーの切替前のセルＣに対応するセルＩＤに関連付けて基地局情報データベースに記憶されているグループＩＤに対応するグループである。第２のグループは、例えば、第１のグループに対応するグループＩＤとは異なるグループＩＤであって、ハンドオーバーの切替後のセルＣに対応するセルＩＤに関連付けて基地局情報データベースに記憶されているグループＩＤに対応するグループである。
【００５５】
割当範囲情報は、分割割当範囲を示すための情報であり、具体的には、セルＣにＰＣＩの値を割当可能な割当範囲が分割された複数の分割割当範囲のうちのいずれかであることを示すための情報である。上記グループは、セルＣにＰＣＩの値を割当可能な割当範囲が分割された複数の分割割当範囲のうちのいずれかを割り当てる単位である。割当部３３５は、例えば、第１のグループに番号０から番号１００までのＰＣＩの値の範囲を割当範囲情報として割り当て、第２のグループに番号１０１から番号２００までのＰＣＩの値の範囲を割当範囲情報として割り当てる。
【００５６】
そして、選択部３３４は、グループごとに、当該グループに割り当てられた割当範囲情報に対応する分割割当範囲内において、当該グループに属する複数のセルＣそれぞれにＰＣＩの値を設定可能な組合せの中から、重複率が相対的に小さい組合せを選択する。このように、設定装置３は、グループごとに組合せを選択することにより、演算処理の量を低減することができる。これにより、設定装置３は、最適な組合せを選択する精度を向上させることができる。なお、複数のグループ（基地局２が設置されているエリアに含まれる全てのグループの数より少ない数のグループ）をまとめた重複率が算出された場合、選択部３３４は、当該複数のグループにおいて重複率が相対的に小さい組合せを選択してもよい。
【００５７】
割当部３３５は、第１のグループに割り当てた割当範囲情報を、第１のグループ及び第２のグループとは異なる複数の他のグループのうち、少なくとも第１のグループと地理的に隣接していない他のグループに割り当ててもよい。上述のとおり、各セルＣの範囲が一定ではないため、割当部３３５は、グループＧ１に割り当てた割当範囲情報を、当該グループＧ１から２つ以上離れたグループＧ４以後のグループに割り当てることが望ましい。
【００５８】
図５は、複数のグループに分割されたエリアを模式的に表した図である。図５に示す例において、グループＧ１を第１のグループとし、グループＧ２を第２のグループとした場合、割当部３３５は、グループＧ１に割り当てた割当範囲情報を、グループＧ４以後のグループに割り当てる。同様に、グループＧ２を第１のグループとし、グループＧ３を第２のグループとした場合、割当部３３５は、グループＧ２に割り当てた割当範囲情報を、グループＧ５以後のグループに割り当てる。このようにすることで、設定装置３は、複数のグループ間でセルＣが隣接する蓋然性を低減させることができる。これにより、設定装置３は、隣接するセルＣのＰＣＩの値が重複する蓋然性を低減させることができる。
【００５９】
図２に戻り、ＰＣＩ設定部３３６は、演算処理の実行結果に基づいて、セルＣに新たなＰＣＩの値を設定する。具体的には、ＰＣＩ設定部３３６は、選択部３３４が選択した組合せに基づいて、セルＣに新たなＰＣＩの値を設定する。
【００６０】
より具体的には、まず、ＰＣＩ設定部３３６は、通信部３１を介して、新たなＰＣＩの値を設定する設定対象のセルＣの基地局２に当該新たなＰＣＩの値を示す情報を送信する。そして、基地局２は、設定装置３から新たなＰＣＩの値を示す情報を取得すると、設定対象のセルＣに対応するアンテナに当該新たなＰＣＩの値を設定する。なお、ＰＣＩ設定部は、選択部３３４が選択した組合せを示す情報を不図示の出力部に出力させ、作業者が出力部によって出力された情報を参照して設定対象のセルＣに新たなＰＣＩの値を設定してもよい。
【００６１】
ＰＣＩ設定部３３６は、ＰＣＩの値の設定前後における重複率の差が大きい場合に、選択部３３４が選択した組合せに基づいて、セルＣに新たなＰＣＩの値を設定してもよい。具体的には、ＰＣＩ設定部３３６は、最新重複率と、選択部３３４が選択した組合せに基づいてセルＣに新たなＰＣＩの値を設定した場合に想定される重複度合いを示す想定重複率との差が所定の閾値より大きい場合に、選択部３３４が選択した組合せに基づいて、セルＣに新たなＰＣＩの値を設定する。
【００６２】
この場合、算出部３３２は、ＨＯＲ情報に含まれるハンドオーバーの試行回数と、選択部３３４が選択した組合せとに基づいて、想定重複率を算出する。このようにすることで、設定装置３は、セルＣに新たなＰＣＩの値を設定しても通信品質がほとんど改善しないという事態を回避することができる。
【００６３】
［設定装置３の処理］
続いて、設定装置３の処理の流れについて説明する。図６は、設定装置３の処理の流れを示すフローチャートである。本フローチャートは、取得部３３１が各基地局２からＨＯＲ情報を取得したことを契機として開始する（Ｓ１）。
【００６４】
算出部３３２は、取得部３３１が各基地局２から取得したＨＯＲ情報に基づいて、切替前パターン情報と切替後パターン情報とが重複する重複度合いを示す重複率を算出する（Ｓ２）。決定部３３３は、算出部３３２が算出した最新重複率と、算出部３３２が過去に算出した過去重複率との差の大きさに基づいて、セルＣに新たなＰＣＩの値を設定するための演算処理を実行するか否かを決定する（Ｓ３）。
【００６５】
決定部３３３は、演算処理を実行しないと決定した場合（Ｓ３においてＮＯの場合）、処理を終了する。一方、決定部３３３が演算処理を実行すると決定した場合（Ｓ３においてＹＥＳの場合）、複数のセルＣそれぞれにＰＣＩの値を設定可能な組合せの中から、重複率が相対的に小さい組合せを選択する（Ｓ４）。そして、ＰＣＩ設定部３３６は、選択部３３４が選択した組合せに基づいて、セルＣに新たなＰＣＩの値を設定する（Ｓ５）。
【００６６】
［本実施の形態における効果］
以上説明したとおり、設定装置３は、ＨＯＲ情報に基づいてハンドオーバーの切替前後における切替前パターン情報と切替後パターン情報とが重複する重複度合いを示す重複率を算出する。そして、設定装置３は、算出した最新重複率と、過去に算出した過去重複率との差の大きさに基づいて、セルＣに新たなＰＣＩの値を設定するための演算処理を実行するか否かを決定する。
【００６７】
このようにすることで、設定装置３は、ＭＯＤｎ重複セルＣ間におけるハンドオーバーの試行回数が多くなった場合に、当該ハンドオーバーの試行回数を低減させることができる。これにより、設定装置３は、隣接する複数のセルＣ間においてパターン情報が重複していることを起因として、呼切断したりＳＩＮＲが劣化したりし得る携帯端末１の数を低減させることができる。その結果、設定装置３は、通信品質を維持することができる。
【００６８】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００６９】
１  携帯端末
２  基地局
３  設定装置
３１  通信部
３２  記憶部
３３  制御部
３３１  取得部
３３２  算出部
３３３  決定部
３３４  選択部
３３５  割当部
３３６  ＰＣＩ設定部
Ｃ  セル
Ｓ  携帯端末システム
Ｕ  ユーザ
【要約】      （修正有）【課題】通信品質とユーザへの影響度合いとの調和を図る設定装置、携帯端末システム、プログラム及び設定方法を提供する。【解決手段】携帯端末が接続先の基地局のセルを識別するためのＰＣＩの値を設定する設定装置であって、携帯端末が接続しているセルを他のセルに切り替えることで発生するハンドオーバーの試行回数と各ハンドオーバーの切替前後のセル其々のＰＣＩの値を含むＨＯＲ情報を取得する取得部と、ＨＯＲ情報に基づいて、ハンドオーバーの切替前のセルのＰＣＩの値に基づいて特定される、基準信号の送信パターンを定めるためのパターン情報と、ハンドオーバーの切替後のセルのＰＣＩの値に基づいて特定されるパターン情報とが重複する度合いを示す重複率を算出する算出部と、重複率と、算出部３３２が過去に算出した過去重複率との差の大きさに基づいて、セルに新たなＰＣＩの値を設定するための演算処理を実行可否を決定する決定部と、を含む。【選択図】図２【図１】
0006918167.tif 000002
【図２】
0006918167.tif 000003
【図３】
0006918167.tif 000004
【図４】
0006918167.tif 000005
【図５】
0006918167.tif 000006
【図６】
0006918167.tif 000007